(57)【要約】【課題】従来のような再生不可能なファイルを誤って再生しエラー表示がされてしまうといった煩わしさをなくすことができる光ディスク再生装置を提供する。【解決手段】ＤＶＤ再生部１にＤＶＤが挿入されると、ＤＶＤ再生部１はＤＶＤに記録された各ファイルに対応する各記録位置情報をＤＶＤから再生し、再生された各記録位置情報を制御部４が記憶部５に記憶させ、その後、前記各ファイルのうちいずれかのファイルがリモコン操作により選択されると、ＤＶＤ再生部１は選択されたファイルに対応する記憶部５に記憶された記録位置情報に基づきＤＶＤを再生し、権限エラーと、レンタル回数切れと、解像度エラーとのいずれかが発生すると、制御部４は選択されたファイルに対応する記憶部５に記憶された記録位置情報を削除する。【選択図】図１
2008176838.tif 000002
【特許請求の範囲】
【請求項１】
光ディスク再生部と、制御部と、記憶部と、表示信号出力部と、を備えた光ディスク再生装置において、
前記光ディスク再生部に光ディスクが挿入されると、前記光ディスク再生部は前記光ディスクに記録された各ファイルに対応する各記録位置情報を前記光ディスクから再生し、再生された各記録位置情報を前記制御部が前記記憶部に記憶させ、
その後、前記各ファイルのうちいずれかのファイルが操作手段により選択されると、前記光ディスク再生部は前記選択されたファイルに対応する前記記憶部に記憶された記録位置情報に基づき前記光ディスクを再生し、権限エラーと、レンタル回数切れと、解像度エラーとのいずれかが発生すると、前記表示信号出力部は、前記選択されたファイルに対応する前記記憶部に記憶された記録位置情報の削除実行を選択するための表示を表示手段にさせるための表示信号を前記表示手段に出力し、前記操作手段により前記削除実行が選択されると、前記制御部は前記選択されたファイルに対応する前記記憶部に記憶された記録位置情報を削除するような光ディスク再生装置であって、
前記光ディスク再生部が前記光ディスクを排出すると、前記制御部は前記記憶部に記憶された記録位置情報を全て破棄する、ことを特徴とする光ディスク再生装置。
【請求項２】
光ディスク再生部と、制御部と、記憶部と、を備えた光ディスク再生装置において、
前記光ディスク再生部に光ディスクが挿入されると、前記光ディスク再生部は前記光ディスクに記録された各ファイルに対応する各記録位置情報を前記光ディスクから再生し、再生された各記録位置情報を前記制御部が前記記憶部に記憶させ、
その後、前記各ファイルのうちいずれかのファイルが操作手段により選択されると、前記光ディスク再生部は前記選択されたファイルに対応する前記記憶部に記憶された記録位置情報に基づき前記光ディスクを再生し、権限エラーと、レンタル回数切れと、解像度エラーとのいずれかが発生すると、前記制御部は前記選択されたファイルに対応する前記記憶部に記憶された記録位置情報を削除する、ことを特徴とする光ディスク再生装置。
【請求項３】
表示信号出力部をさらに備え、
前記権限エラーと、前記レンタル回数切れと、前記解像度エラーとのいずれかが発生すると、前記表示信号出力部は、前記選択されたファイルに対応する前記記憶部に記憶された記録位置情報の削除実行を選択するための表示を表示手段にさせるための表示信号を前記表示手段に出力し、前記操作手段により前記削除実行が選択されると、前記制御部は前記選択されたファイルに対応する前記記憶部に記憶された記録位置情報を削除する、ことを特徴とする請求項２に記載の光ディスク再生装置。
【請求項４】
前記光ディスク再生部が前記光ディスクを排出すると、前記制御部は前記記憶部に記憶された記録位置情報を全て破棄する、ことを特徴とする請求項２に記載の光ディスク再生装置。
【発明の詳細な説明】
【技術分野】
【０００１】
本発明は、光ディスク再生装置に関する。
【背景技術】
【０００２】
近年、ＤｉｖＸ（登録商標）  ＶＯＤ（Ｖｉｄｅｏ  Ｏｎ  Ｄｅｍａｎｄ）ファイルと呼ばれるファイルを光ディスクから再生可能な光ディスク再生装置が実用化されている。ＤｉｖＸ  ＶＯＤファイルとは、ＤｉｖＸ社のサイトからインターネットによりダウンロードされる著作権保護されたファイルであり、映像圧縮にＤｉｖＸというエンコード技術が用いられている。
【０００３】
このようなＤｉｖＸ  ＶＯＤファイルを光ディスクから再生する際、従来の光ディスク再生装置では、ファイルが有する固有キーと光ディスク装置が有する固有キーとが一致するか、ファイルの再生回数制限を越える再生でないか、ファイルの解像度が光ディスク装置で再生できない解像度でないか、を判定し、権限エラー、レンタル回数切れ、解像度エラーのいずれもが発生しなかった場合はファイルを再生し、権限エラー、レンタル回数切れ、解像度エラーのいずれかが発生した場合、表示手段に各エラーに対応するエラー表示をさせユーザに知らせるようにしていた。
【０００４】
また、特許文献１には、ユーザがあるコンテンツの再生を指示したとき、光ディスクの再生許可情報記録領域に当該コンテンツの復号鍵が記録されているかを判定し、記録されている場合は当該コンテンツの暗号を解読しコンテンツが再生され、記録されていない場合は表示部に当該コンテンツの再生ができない旨を表示するような光ディスク再生装置が開示されている。
【特許文献１】特開２００６−４４７３号公報
【発明の開示】
【発明が解決しようとする課題】
【０００５】
しかし、上記従来の光ディスク再生装置では、ファイルやコンテンツが大量に光ディスクに記録されている場合、どのファイルやコンテンツが再生できないものであるかユーザが記憶するのは困難であり、ユーザが誤って再生できないファイルやコンテンツの再生を指示するたびにエラー表示がされてしまいユーザにとって煩わしいという問題点があった。
【０００６】
上記問題点を鑑み、本発明は、従来のような再生不可能なファイルを誤って再生しエラー表示がされてしまうといった煩わしさをなくすことができる光ディスク再生装置を提供することを目的とする。
【課題を解決するための手段】
【０００７】
上記目的を達成するために本発明の光ディスク再生装置は、光ディスク再生部と、制御部と、記憶部と、を備えた光ディスク再生装置において、
前記光ディスク再生部に光ディスクが挿入されると、前記光ディスク再生部は前記光ディスクに記録された各ファイルに対応する各記録位置情報を前記光ディスクから再生し、再生された各記録位置情報を前記制御部が前記記憶部に記憶させ、
その後、前記各ファイルのうちいずれかのファイルが操作手段により選択されると、前記光ディスク再生部は前記選択されたファイルに対応する前記記憶部に記憶された記録位置情報に基づき前記光ディスクを再生し、権限エラーと、レンタル回数切れと、解像度エラーとのいずれかが発生すると、前記制御部は前記選択されたファイルに対応する前記記憶部に記憶された記録位置情報を削除する、ことを特徴としている。
【０００８】
このような構成によれば、権限エラー、レンタル回数切れ、解像度エラーのいずれかが発生し再生不可能なファイルを認識不可とすることができ、以降ユーザはそのファイルを再生させることができないので、従来のような再生不可能なファイルを誤って再生しエラー表示がされてしまうといった煩わしさがなくなる。
【０００９】
また、本発明の光ディスク再生装置は上記構成において、表示信号出力部をさらに備え、前記権限エラーと、前記レンタル回数切れと、前記解像度エラーとのいずれかが発生すると、前記表示信号出力部は、前記選択されたファイルに対応する前記記憶部に記憶された記録位置情報の削除実行を選択するための表示を表示手段にさせるための表示信号を前記表示手段に出力し、前記操作手段により前記削除実行が選択されると、前記制御部は前記選択されたファイルに対応する前記記憶部に記憶された記録位置情報を削除する、ことを特徴としている。
【００１０】
このような構成によれば、ユーザが表示手段における表示を選択してからファイルが認識不可となるので、いきなりファイルが認識不可となってユーザが混乱することがなくなる。
【００１１】
また、本発明の光ディスク再生装置は上記構成において、前記光ディスク再生部が前記光ディスクを排出すると、前記制御部は前記記憶部に記憶された記録位置情報を全て破棄する、ことを特徴としている。
【００１２】
このような構成によれば、新たな光ディスクが挿入されても情報が混在することがなくなる。
【発明の効果】
【００１３】
本発明の光ディスク再生装置によれば、従来のような再生不可能なファイルを誤って再生しエラー表示がされてしまうといった煩わしさをなくすことができる。
【発明を実施するための最良の形態】
【００１４】
本発明の実施形態について以下、図面を参照して説明する。
【００１５】
図１に、本発明に係るＤＶＤ再生装置の概略構成を示す。本ＤＶＤ再生装置は、ＤＶＤ再生部１と、デコーダ２と、映像合成部３と、制御部４と、記憶部５と、リモコン受信部６とを備える。
【００１６】
ＤＶＤ再生部１は、不図示のトレイ、ローディングメカ、光ピックアップ、復調回路、誤り訂正回路等を有し、挿入されたＤＶＤに記録された種々の情報を再生する。デコーダ２は、ＤＶＤ再生部１により再生された映像情報をデコードする。映像合成部３は、デコーダ２によりデコードされた映像情報と制御部４が生成するＯＳＤ映像情報とを合成し、合成情報をビデオ信号に変換してビデオ信号を不図示のテレビに出力する。また、映像合成部３は、上記合成をせずに制御部４が生成したＯＳＤ映像情報をビデオ信号に変換してビデオ信号を不図示のテレビに出力もする。リモコン受信部６は、不図示のリモコンから赤外線信号を受信しコード信号を制御部４に出力する。
【００１７】
このような構成の本発明に係るＤＶＤ再生装置におけるファイル再生動作について以下、図２に示すフローチャートに沿って説明する。
【００１８】
ここで、ＤＶＤにＤｉｖＸ  ＶＯＤファイルが記録され、各ファイルに対応するファイル名情報、記録位置情報も記録されているものとする。本ＤＶＤが不図示のトレイに載置され、ユーザ操作によりＤＶＤ再生部１がトレイを閉め、ＤＶＤがＤＶＤ再生部１に挿入されると、ステップＳ１で、ＤＶＤ再生部１は挿入されたＤＶＤからファイル名情報、記録位置情報を再生し、制御部４が再生された各情報を記憶部５に記憶させる。
【００１９】
そして、ステップＳ２で、制御部４は記憶部５に記憶されたファイル名情報に基づきＯＳＤ映像情報を生成し、映像合成部３にＯＳＤ映像情報を出力し、不図示のテレビにはファイル名が一覧表示される。ここで、トレイが閉まった状態で（ステップＳ３のＮ）、不図示のリモコンにおける操作によりいずれかのファイルが選択されると（ステップＳ４）、ステップＳ５に進む。
【００２０】
ステップＳ５で、ＤＶＤ再生部１は、ステップＳ４で選択されたファイルに対応する記憶部５に記憶された記録位置情報が表す位置からＤＶＤを再生し、ファイルが有する固有キー情報、再生制限回数情報、解像度情報を再生する。そして、制御部４は、再生された固有キー情報と記憶部５に記憶された固有キー情報とが一致するか否か判定し、一致しなければ権限エラーが発生したものとしてステップＳ９に進み（ステップＳ５のＹ）、一致すればステップＳ６に進む（ステップＳ５のＮ）。
【００２１】
ステップＳ６では、制御部４は、ステップＳ５で再生された再生制限回数情報と記憶部５に記憶されたステップＳ４で選択されたファイルの再生回数を表す再生回数情報とを比較し、再生制限回数情報が表す回数に再生回数情報が表す回数が達しているか否かを判定し、達していればレンタル回数切れが発生したものとしてステップＳ９に進み（ステップＳ６のＹ）、達していなければステップＳ７に進む（ステップＳ６のＮ）。
【００２２】
ステップＳ７では、制御部４は、ステップＳ５で再生された解像度情報が表す解像度が本ＶＤ再生装置が対応している解像度か否かを判定し、対応していない解像度であれば解像度エラーが発生したものとしてステップＳ９に進み（ステップＳ７のＹ）、対応している解像度であればステップＳ８に進む（ステップＳ７のＮ）。
【００２３】
ステップＳ８で、ＤＶＤ再生部１はステップＳ４で選択されたファイルが有する映像情報を再生し、デコーダ２が再生された映像情報をデコードし、映像合成部３がデコードされた映像情報に基づくビデオ信号を不図示のテレビに出力し、テレビに映像が表示される。そして、ＤＶＤ再生部１が映像情報の再生を終了すると、制御部４は記憶部５に記憶されたステップＳ４で選択されたファイルの再生回数情報を回数を１だけ増加させて更新し、ステップＳ２に戻る。ステップＳ２で、制御部４は現在記憶部５に記憶されているファイル名情報に基づきＯＳＤ映像情報を生成して映像合成部３に出力し、不図示のテレビにファイル名が一覧表示される。
【００２４】
また、ステップＳ５で権限エラーが発生するか、ステップＳ６でレンタル回数切れが発生するか、ステップＳ７で解像度エラーが発生すると、ステップＳ９に進み、制御部４は発生したエラーに応じてＯＳＤ映像情報を生成して映像合成部３に出力し、不図示のテレビに発生したエラーに応じたエラー表示がされる。
【００２５】
そして、ステップＳ１０で、ステップＳ９のエラー表示から３秒経過後に制御部４はＯＳＤ映像情報を生成して映像合成部３に出力し、図３に示すようなファイル認識不可設定画面が不図示のテレビに表示される。本画面には、選択されたファイルが再生できない旨と、選択されたファイルを認識不可にするか否かの選択項目として「はい」「いいえ」が表示される。
【００２６】
ここでハイライトがリモコン操作により「はい」に移動され、リモコンにおいて決定操作がされると（ステップＳ１１のＹ）、ステップＳ１２に進み、制御部４はステップＳ４で選択されたファイルに対応するファイル名情報および記録位置情報を記憶部５から削除してファイルを認識不可とし、ステップＳ２に戻る。ステップＳ２で、制御部４は現在記憶部５に記憶されているファイル名情報に基づきＯＳＤ映像情報を生成して映像合成部３に出力し、不図示のテレビにファイル名が一覧表示される。ここでは、認識不可となったファイルのファイル名は表示から除かれることとなる。
【００２７】
また、上記ファイル認識不可設定画面でハイライトがリモコン操作により「いいえ」に移動され、リモコンにおいて決定操作がされると（ステップＳ１１のＮ）、ステップＳ２に戻り、制御部４は現在記憶部５に記憶されているファイル名情報に基づきＯＳＤ映像情報を生成して映像合成部３に出力し、不図示のテレビにファイル名が一覧表示される。ここでは、先にステップＳ４でファイル名を選択したときのファイル名一覧表示と同じものが表示されることとなる。
【００２８】
また、ステップＳ３で、ユーザ操作によりＤＶＤ再生部１がトレイを排出し、これを制御部４が検知すると（ステップＳ３のＹ）、制御部４は現在記憶部５に記憶されているファイル名情報および記録位置情報を全て破棄する。これにより、新たなＤＶＤが挿入されても情報が混在することがなくなる。
【００２９】
このように本発明によれば、権限エラー、レンタル回数切れ、解像度エラーのいずれかが発生し再生不可能なファイルを認識不可とすることができ、以降そのファイルをユーザが選択し再生させることはできないため、従来のような再生不可能なファイルを誤って再生させエラー表示がされてしまうといった煩わしさをなくすことができる。
【００３０】
また、ファイル認識不可設定画面を表示させてユーザにファイルを認識不可にすることを選択させてからファイルが認識不可となるので、いきなりファイルが認識不可となってユーザを混乱させることがなくなる。
【図面の簡単な説明】
【００３１】
【図１】は、本発明に係る光ディスク再生装置の概略構成図である。
【図２】は、本発明に係るファイル再生に関するフローチャートである。
【図３】は、ファイル認識不可設定画面の一例を示す図である。
【符号の説明】
【００３２】
１    ＤＶＤ再生部
２    デコーダ
３    映像合成部
４    制御部
５    記憶部
６    リモコン受信部
【図１】
2008176838.tif 000003
【図２】
2008176838.tif 000004
【図３】
2008176838.tif 000005